(57)【要約】      （修正有）【課題】乳児がベビーラックで横になる状態において、夏場の暑い時期では特に背中に汗を掻くことから、ベビーラックを使用する際の乳児の衛生面および良好な睡眠環境面の配慮をする。【解決手段】  乳児の背中部とベビーラックが接触状態から脱せられることが解決策であるから、その手段として、ネットを利用してベビーラックに緊張させ、使用時に乳児とベビーラックの間に空間域が保てる状態にする。【選択図】図１
0003121446.tif 000002
【実用新案登録請求の範囲】
【請求項１】
乳児の背中部とベビーラックが接触状態から脱せられることを目的とし、その手段として、ネット（通気性が良くきめ細かい網状タイプのような物の総称とする）を利用してベビーラックに緊張させ、使用時に乳児とベビーラックの間に空間域が保てる状態にする。
【考案の詳細な説明】
【技術分野】
【０００１】本考案は育児するための乳児用具に関する。
【背景技術】
【０００２】従来技術として、次の３文献を記載する。１つ目は、公開番号は特許公開平５−１１５３４３、発明の名称は幼児用揺り籠である。２つ目は、公開番号は特許公開平８−１０７８１６、発明の名称はベビー用シートのカバーである。３つ目は、公開番号は特許公開２００４−２０３３４８、発明の名称はハンモック型ベビーカーである。
【考案の開示】
【考案が解決しようとする課題】
【０００３】従来技術の問題点は、乳児のベビーラック使用時におけるあせも対策に着眼していない点である。そこで、乳児（新生児から寝返りをうつ程度の期間）がベビーラックで横になる状態（睡眠時非睡眠時を問わない、通常は仰向け状態）において、夏場の暑い時期では特に背中に汗を掻くことから、ベビーラックを使用する際の乳児の衛生面および良好な睡眠環境面の配慮を課題とする。
【課題を解決するための手段】
【０００４】乳児の背中部とベビーラックが接触状態から脱せられることが解決策であるから、ハンモックの原理でネット（通気性が良くきめ細かい網状タイプのような物の総称とする）を利用してベビーラックに緊張させ、使用時に乳児とベビーラックの間に空間域が保てる状態にする。
【考案の効果】
【０００５】従来技術では、乳児のベビーラック使用時におけるあせも対策が解消されていない。商品によっては、揺り籠式や可動式等があるが、本考案が解決しようとする課題についての従来技術はない。本考案は夏場の暑い時期に限定されるものの、ベビーラックが普及している事実を踏まえ、これを最大限に活用できる効果と同時に、乳児の湿潤状態が解消され、日中の寝苦しさが軽減される効果を併せ持つ。
【考案を実施するための最良の形態】
【０００６】まず、ネットをベビーラックに固定させるためにベルトやロープを介する形態とする。市販（またはレンタル等）されているベビーラックは様々な形状をしているが、目的が同一なため似通った形状であるとも言える。よって、ネットの形状（寸法）は多少の差異はあるものの、それに即して必然的に且つ改良的に決定される。また、ベルトやロープの形状は特定する必要はない。ネットおよびベルトの品質に関しては、課題が解決される程度の強度のあるものとする。また、ネットとベルトおよびベルトの末端部の接続方法またはこれらの接続に必要な他部品を用いた接続方法に関しては、特定する必要はなく、課題が解決される程度に強固に接続できるものとする。
これらを踏まえ、ベビーラックの立ち上がり部（乳児が落ちないための側壁）を利用してネットを緊張させ、同時に、乳児が横になった状態でベビーラックとの間に空間域が保てるように固定させる。
また、ネットのたるみ加減（取付け時の緊張程度）が重要であるが、たるみ過ぎは乳児の快適さを損ない、その反対は安全性が問われるため、たるみ調整可能な形態とし、たるみ程度は利用者の責任において調整するものとする。
【実施例】
【０００７】既存品代用で創作した完成品の実施例を示す。
まず、ネット材料としてセーター干しネットを使用した。これはネットが軟弱であった為、２重にして使用。すると寸法は縦５５０ｍｍ、横４００ｍｍ程度となった。次に適当な布を縦５５０ｍｍ横３００ｍｍ程度の寸法で長方形に形取る（２枚必要）。布は縦方向を軸に２つ折りし、輪でない方をネット縦方向の一方端に重ね、ミシン縫いして強固に連結する。もう１枚の布も同様に、ネットの縦方向他端に施す。この時、ネット両側に連結された布がネットを中心に左右対称となる。同時に、布は２つ折りしてあるため、中が空洞化された筒状となる。次に、強固なパイプ（管径１５ｍｍ延長６５０ｍｍプラスチック製を代用。これは、セーター干しネットの付属品）を２本使用し、これを布の空洞部にそれぞれ通す。２本のパイプの両端部（計４箇所）にロープを付ける。この時、布には切り込みを入れ、ロープ、布、パイプの３点を強固に連結・固定する。
取付けは、この完成品をベビーラック中央に乗せラックの裏側へロープを回し、上部と下部の計２箇所でベルトを連結し、ベルトの長さを調整しながら緊張・固定させ、全体として一体化させる。
取付け時の緊張程度は一つの課題とも言えるが、本完成品の実施の場合、強めに緊張させても乳児の重さにより程良いくぼみが出来、空間域も保たれ、全体としてバランス面・安全面は確保された。結果的に、ネットの弾力性およびラックの立ち上がり部の高さを鑑みて、ある程度緊張させて取付けることが必然的に必要であることに気付く。
完成品の完成および実用の結果、一度取付ければ維持管理の必要は使用中（６〜８月の３ヶ月間で、寝苦しい日の昼間はほぼ日使用）一度もなかった。
【産業上の利用可能性】
【０００８】本考案により、乳児に対する様々な課題の一つが解消されることは、育児当事者にとって一助と成り得る可能性があると考えられる（需要面からの産業上の利用可能性）。また、本完成品は既存品で作成できるため、高度な技術・複雑な構造を要せずして比較的容易に且つ短期に量産できること（供給面からの産業上の利用可能性）、着脱式とする為安価により提供可能なことが考えられる。
【図面の簡単な説明】
【０００９】
【図１】  既存品代用で創作した完成品ネットを取付けた状態で、ベビーラックに乳児が横になる様子を示した全体図である。
【図２】  既存品代用で創作した完成品ネットを示した正面図である。
【符号の説明】
【００１０】    １    乳児
２    ベビーラック
３    ネット
４    布
５    パイプ
６    ロープ
【図１】
0003121446.tif 000003
【図２】
0003121446.tif 000004
【手続補正書】
【提出日】平成17年12月19日(2005.12.19)
【手続補正１】
【補正対象書類名】実用新案登録請求の範囲
【補正対象項目名】全文
【補正方法】変更
【補正の内容】
【実用新案登録請求の範囲】
【請求項１】
ベビーラックにネットを取り付けたハンモック付きベビーラック。
【手続補正２】
【補正対象書類名】明細書
【補正対象項目名】全文
【補正方法】変更
【補正の内容】
【考案の詳細な説明】
【技術分野】
【０００１】  本考案は、乳児のあせも対策のための、ベビーラックにネットを取り付けたハンモック付きベビーラックに関するものである。
【背景技術】
【０００２】  従来は、ベビーラック使用の際、乳児のあせも対策に配慮していない。先行文献として、特許公開平５−１１５３４３、特許公開平８−１０７８１６、特許公開２００４−２０３３４８。
【考案の開示】
【考案が解決しようとする課題】
【０００３】  これには、乳児の衛生面および良好な睡眠環境面を確保できない欠点があった。
本考案は、これらの欠点を解決するためになされたものである。
【課題を解決するための手段】
【０００４】  ベビーラックにネットを取り付ける。
本考案は、以上の構成よりなるハンモック付きベビーラックである。
【考案の効果】
【０００５】  乳児の背中部とベビーラックが接触状態から脱せられ、乳児の衛生面および良好な睡眠環境面を確保できる。
【考案を実施するための最良の形態】
【０００６】  以下、本考案の実施の形態を説明する。
（１）ネットを、縦５５０ｍｍ横４００ｍｍ程度の寸法で形取る
（２）ベビーラックにネットを取り付ける。
本考案は、以上のような構造である。
これを使用するときは、ベビーラックにネットを固定させ、乳児を乗せる。
【図面の簡単な説明】
【０００７】
【図１】  ベビーラックにネット取り付けた状態で、乳児を乗せた様子を示した全体図である。
【図２】  ネットの正面図である。
【符号の説明】
１    乳児
２    ベビーラック
３    ネット
４    布
５    パイプ
６    ベルト